(57)【要約】  本発明は、下側に高さの変化を有する吊床スラブを形成するための型枠構造体、そのような型枠構造体とともに使用するための支持ブラケット、および前記支持ブラケットと前記型枠構造体を使用する方法に関する。【選択図】図４
2017528626.tif 000002
【特許請求の範囲】
【請求項１】
下側に高さの変化を有する吊床スラブを形成するための上型枠および下型枠の各々を支持する仮設支持構造体とともに用いるための型枠支持ブラケットであって、
ベース部と、
前記ベース部から延びる壁部と、
前記壁部の最上部の型枠支持部とを含み、
使用時には、前記ベース部が前記下型枠の上に載っており、前記型枠支持部は上型枠の一部を支持し、前記壁部は、前記上型枠と前記下型枠との間に延びる縁部を成形するための表面を提供することを特徴とする型枠支持ブラケット。
【請求項２】
請求項１に記載の型枠支持ブラケットであって、
前記型枠支持部は、上型枠支持プラットフォームを含むことを特徴とする型枠支持ブラケット。
【請求項３】
請求項１または２に記載の型枠支持ブラケットであって、
前記型枠支持部が、前記ベース部から延びる前記壁部との連続面を形成する受け台壁を含む梁受け台を含むことを特徴とする型枠支持ブラケット。
【請求項４】
請求項２に記載の型枠支持ブラケットであって、
前記型枠支持部が、前記ベース部から延びる前記壁部との連続面を形成する受け台壁を含む梁受け台を含み、
前記型枠支持ブラケットは、前記ベース部から延びる柱部を備え、前記柱部は、段部を形成するための前記壁部を含み、前記上型枠支持プラットフォームおよび前記梁受け台は、前記柱部の最上部に載置されることを特徴とする型枠支持ブラケット。
【請求項５】
請求項４に記載の型枠支持ブラケットであって、
前記ベース部および前記上型枠支持プラットフォームから延びる一対の柱部を含むことを特徴とする型枠支持ブラケット。
【請求項６】
請求項１から５のいずれか一項に記載の型枠支持ブラケットであって、
前記上型枠および前記下型枠は型枠パネルを含むことを特徴とする型枠支持ブラケット。
【請求項７】
請求項６に記載の型枠支持ブラケットであって、
前記型枠支持部は、上型枠支持プラットフォームを含み、
前記上型枠支持プラットフォームは、前記型枠支持ブラケットに対して前記型枠パネルを配置するべく前記型枠パネルと係合する少なくとも１つの位置決めラグを含むことを特徴とする型枠支持ブラケット。
【請求項８】
請求項７に記載の型枠支持ブラケットであって、
前記上型枠支持プラットフォームは、前記型枠支持ブラケットに対して２つの前記型枠パネルを配置するための２つの位置決めラグを含むことを特徴とする型枠支持ブラケット。
【請求項９】
下側に高さの変化を有する吊床スラブを形成するための型枠構造体であって、
上型枠および下型枠の各々が縁部で終端するように前記上型枠および前記下型枠を支持する仮設支持構造体であって、前記上型枠の縁部と前記下型枠の縁部は近接し、かつ垂直方向に離間している、該仮設支持構造体と、
前記下型枠の上に設置され、複数の型枠パネルを支持する複数の型枠支持ブラケットであって、前記複数の型枠パネルは、前記上型枠の縁部と前記型枠支持ブラケットとを橋渡しする、該複数の型枠支持ブラケットとを含むことを特徴とする型枠構造体。
【請求項１０】
請求項９に記載の型枠構造体であって、
前記上型枠および前記下型枠は型枠パネルを含むことを特徴とする型枠構造体。
【請求項１１】
請求項９または１０に記載の型枠構造体であって、
前記仮設支持構造体は、テーブル様型を有することを特徴とする型枠構造体。
【請求項１２】
下側に高さの変化を有する吊床スラブを形成するための方法であって、
吊床スラブの下側の高い部分および低い部分を形成するために上型枠および下型枠を支持する仮設支持構造体（仮枠）を立設するステップであって、前記上型枠および下型枠の各々は縁部で終端し、前記上型枠の縁部と前記下型枠の縁部は近接し、かつ垂直方向に離間している、該ステップと、
複数の型枠支持ブラケットを前記下型枠の上に配置するステップと、
複数の型枠パネルを、前記複数の型枠パネルが前記上型枠の縁部と前記型枠支持ブラケットとを橋渡しするように配置するステップとを含む方法。
【発明の詳細な説明】
【技術分野】
【０００１】
本出願は、２０１４年８月１９日を出願日とする「CONCRETE FORMWORK AND A FORMWORK SUPPORT BRACKET」というタイトルのオーストラリア特許出願第２０１４２１５９５０号を基礎とする優先権を主張するものであり、この出願の内容は、引用により本明細書の一部とする。
次の同時係属出願は、以下の明細書の記載中で参照される。
・「FORMWORK SUPPORT ELEMENT」というタイトルの国際特許出願ＰＣＴ／ＡＵ２０１３／０００８５５（国際公開第２０１４／０１９０２９号（特許文献１））。
この出願の内容は、引用により本発明の一部とする。
本発明は、コンクリート型枠に関する。本発明は、特定の形態として、例えば梁がスラブの下側に成型されるような場所で発生する下側に高さの変化を有する吊床スラブを形成するための型枠、およびそのような型枠とともに用いるための型枠支持ブラケットに関する。
【背景技術】
【０００２】
型枠は、吊床スラブおよび梁などの様々な要素を形成するために湿潤コンクリートを流し込むことができる型を提供するために、コンクリート構造で使用される。床スラブの場合、高層の建物の床が連続して形成されること、およびその後により高い階を形成するために前の床の上に型枠が配置されることが一般的である。
【０００３】
そのような型枠は、ロスト（すなわち再利用できない）型枠、またはひとたびコンクリートが硬化されたときコンクリートスラブから取り外され、再利用され得る型枠のいずれかを含む立設型を支持するために用いられるフレームまたは足場を含む。再使用可能な型枠は、足場の最上部で保持されるアルミニウムの型枠パンを含み得る。加えて、シートまたはボードをフレームワークの上で用いてもよい。
【０００４】
梁がスラブの下側に成形される場所のような、吊床スラブの下側に高さの変化が必要とされる場所では１つの問題が生じる。現在、梁が形成される場所では、ビーム成形型の側面の型枠は、一般に水平の木材梁および垂直合板シートから作られている。このように梁型枠を組み立てるにはかなり時間がかかり、したがって人件費の点で高価である。
【０００５】
本発明は、このような背景およびそれに関連する問題や課題に対して開発されたものである。
【０００６】
本発明の一定の目的および利点は、例示の目的で本発明の実施形態が開示された、添付の図面を参照した後述の説明からより明白となろう。
【先行技術文献】
【特許文献】
【０００７】
【特許文献１】国際公開第２０１４／０１９０２９号
【発明の概要】
【課題を解決するための手段】
【０００８】
第１の態様によれば、下側に高さの変化を有する吊床スラブを形成するための上型枠および下型枠の各々を支持する仮設支持構造体とともに用いるための型枠支持ブラケットであって、
ベース部と、
前記ベース部から延びる壁部と、
前記壁部の最上部の型枠支持部とを含み、
使用時には、前記ベース部が前記下型枠の上に載っており、前記型枠支持部は上型枠の一部を支持し、前記壁部は、前記上型枠と前記下型枠との間に延びる縁部を成形するための表面を提供することを特徴とする型枠支持ブラケットが提供される。
【０００９】
一形態では、前記上型枠の縁部と前記下型枠の縁部は近接し、かつ垂直方向に離間している。
【００１０】
一形態では、前記下型枠が、吊床スラブの下側の低い部分のための型を形成する。
【００１１】
一形態では、前記上型枠が、吊床スラブの下側の高い部分のための型を形成する。
【００１２】
一形態では、前記型枠支持部は、上型枠支持プラットフォームを含む。
【００１３】
一形態では、前記型枠支持部が、前記ベース部から延びる前記壁部との連続面を形成する受け台壁を含む梁受け台を含む。
【００１４】
一形態では、前記上型枠支持プラットフォームは、前記型枠支持ブラケットに対して前記型枠パネルを配置するべく前記型枠パネルと係合する少なくとも１つの位置決めラグを含む。
【００１５】
一形態では、前記上型枠および前記下型枠は型枠パネルを含む。
【００１６】
一形態では、前記型枠支持ブラケットは、前記ベース部から延びる柱部を備え、前記柱部は、段部を形成するための前記壁部を含み、前記上型枠支持プラットフォームおよび前記梁受け台は、前記柱部の最上部に載置される。
【００１７】
一形態では、前記型枠支持ブラケットは、前記ベース部および前記上型枠支持プラットフォームから延びる一対の柱部を含む。
【００１８】
一形態では、前記型枠は、Ａｉｒｏｄｅｋ（商標）の名称で販売されているパネル等のパネルを含む。
【００１９】
第２の態様によれば、下側に高さの変化を有する吊床スラブを形成するための型枠構造体であって、
上型枠および下型枠の各々が縁部で終端するように前記上型枠および前記下型枠を支持する仮設支持構造体（仮枠）であって、前記上型枠の縁部と前記下型枠の縁部は近接し、かつ垂直方向に離間している、該仮設支持構造体と、
前記下型枠の上に設置され、複数の型枠パネルを支持する複数の型枠支持ブラケットであって、前記複数の型枠パネルは、前記上型枠の縁部と前記型枠支持ブラケットとを橋渡しする、該複数の型枠支持ブラケットとを含むことを特徴とする型枠構造体が提供される。
【００２０】
第３の態様によれば、下側に高さの変化を有する吊床スラブを形成するための方法であって、
吊床スラブの下側の高い部分および低い部分を形成するために上型枠および下型枠を支持する仮設支持構造体（仮枠）を立設するステップであって、前記上型枠および下型枠の各々は縁部で終端し、前記上型枠の縁部と前記下型枠の縁部は近接し、かつ垂直方向に離間している、該ステップと、
複数の型枠支持ブラケットを前記下型枠の上に配置するステップと、
複数の型枠パネルを、前記複数の型枠パネルが前記上型枠の縁部と前記型枠支持ブラケットとを橋渡しするように配置するステップとを含む方法が提供される。
【００２１】
以下、本発明の１以上の実施形態を説明する前に、本発明は、後に説明し、または図面に示す要請要素の構造および配置の詳細に、その実施態様が限定されないことを理解されたい。本発明は、そのような特定の細部の特徴に加えて別の実施形態もとることができ、様々な形態で実施することができる。また、本明細書で使用される表現および用語ならびに要約は、説明のためのものであり、発明の限定するものと見なされるべきでないことを理解されたい。
【００２２】
本願の一部である図面は、本発明の一定の実施形態を示し、明細書の記載とともに本発明の原理を説明するために提示されている。
【００２３】
当業者であれば、本開示の基礎となる概念は、本発明のいくつかの目的を達成するための他の構造、方法、およびシステムを設計するための基礎として容易に利用できることを理解されよう。したがって、各請求項の範囲は、本発明の精神および範囲から逸脱しない限り、そのような均等の構成を含むとみなされるべきと認識することが重要である。
【００２４】
本発明の実施形態は、添付の図面を参照して後述する。
【図面の簡単な説明】
【００２５】
【図１】支持ブラケットの正面図である。
【図２】図１の支持ブラケットの側面図である。
【図３】図１および図２の支持ブラケットの上面図である。
【図４】図１〜図３に示す支持ブラケットを含む、吊床スラブの下側に高さの変化を形成するためのテーブル様型とともに使用するための組立体の概略図である。
【図５】型枠内の段部の詳細端面図である。
【図６】図５に示す型枠の段部の詳細な端面図である。
【図７】４つの支持ブラケットによって支持された型枠パネルの平面図である。
【発明を実施するための形態】
【００２６】
以下の説明において、図面全体において類似のまたは対応する部品には類似の参照符合を付す。
【００２７】
ここで図１〜図３を参照すると、ベース部２と、ベース部２から延びる壁部４と、壁部４の最上部の型枠支持体６とを含む型枠支持ブラケット１が示されている。
【００２８】
以下の説明に記載された例示的な型枠支持ブラケット１は、必ずしもこのように製造される、またはこの材料から製造される必要はないが、金属加工によって形成されている。例えば、鋳造のような別の手段によって、および別の合金または複合材のような別の材料から製造することもできる。
【００２９】
この例示的な実施形態では、ベース部２は長方形の軟鋼板であり、ベース部の端部においてそこから立設される形に溶接された長方形中空断面（ＲＨＳ）鋼の一対の柱部８が延びている。これらの柱部８の面の１つが壁部４としての役目を果たす。
【００３０】
型枠支持体６は、柱部８の上に位置し、かつ型枠支持プラットフォーム１０を含み、型枠支持プラットフォーム１０は、さらに別の長方形の軟鋼板１２と１対の位置決めラグ１４とを含み、その目的は以下に詳細に説明する。
【００３１】
型枠支持体６は、フランジの１つがベース部２から延びる壁部４と連続面を形成するように配置された軟鋼平行フランジチャネル（ＰＦＣ）からなる梁受け台１６をさらに備える。
【００３２】
この例示的な実施形態では、梁受け台１６は、一対の上にわたされた軟鋼四角中空部（ＳＨＳ）チューブの上に支持されているが、このチューブは型枠支持ブラケット１によって支持される型枠のタイプに応じて必要か、または不必要となり得る。
【００３３】
使用時には、型枠支持ブラケット１は、その下側に高さの変化を有する吊床スラブを形成するための型枠を支持するための仮設支持構造体（仮枠と称することもある）とともに使用される。
【００３４】
ここで図４を参照すると、下面に高さの変化を有する吊床スラブを形成するための型枠は、上下に離間した上型枠Ｕおよび下型枠Ｌを含み、下型枠Ｌは、吊床スラブの低い部分のための型を形成し、上型枠Ｕは、吊床スラブの下側の高い部分のための型を形成する。
【００３５】
説明の便宜上、型枠は、主としてＡｉｒｏｄｅｋ（商標）という商品名で一般的に知られるタイプの型枠パネルを含むものとするが、これに限定されず、仮設支持構造体は、特許文献１に開示のものを含むものとするが、これに限定されない。
【００３６】
使用時には、下型枠Ｌは、複数の足場構造体３０によって連続成形面を提供するように支持された複数の型枠パネル２０を含む。
【００３７】
同様に、上型枠Ｕは、下型枠の型枠パネル２０から垂直方向に離間した高さで複数の足場構造体３０によって、連続成形面を提供するように支持された複数の型枠パネル２０を含む。
【００３８】
上型枠Ｕおよび下型枠Ｌの各々は縁部で終端し、上型枠の縁部Ａと下型枠の縁部Ｂとは近接し、かつ１つの型枠パネル２０の長さ（または幅）より短い長さ分離間され、略平行である。このように構成された多数の型枠および仮枠を用いて、複数の型枠支持ブラケット１を下型枠Ｌの上に設置することができ、したがって上型枠Ｕの縁部Ａと型枠支持ブラケット１とを橋渡しするように、複数の型枠パネル２０を配置することができる。
【００３９】
すなわち、各橋渡し型枠パネル２０は、その角部の各々で支持される。一対の角部の各々は、１以上の足場構造体３０によって提供されるフォーク３２の突起上に支持される。他の一対の角部の各々は、異なる型枠支持ブラケット１の位置決めラグ１４上に支持される。
【００４０】
図５および図６を参照すると、角部において型枠パネル２０の高さまで型枠を構築するために、木材梁４０が梁受け台１６内に置かれ、合板５０のシートがこれの上に置かれて、梁受け台１６のフランジとともに角部を形成するように延びる上型枠表面の連続面である型枠面を形成し、また梁受け台１６のフランジはそれ自身がベース部２から延びる壁部４と連続面を形成する。
【００４１】
明細書および特許請求の範囲を通じて、文脈上他の意味である必要がない限り、「含む」、「有する」および「備える」という語および「含み」、「有し」および「備え」などの変形の表現を使うとき、記載されたものの個数が１つ以上のいずれかの個数または個数のグループであることを意味し、ある１つの個数以外または個数のグループを除外するものではない。
【００４２】
本明細書中の先行技術の参照は、そのような先行技術が共通の一般知識の一部を形成することのある形式での示唆と認められるものではなく、またはそのように解釈されるべきではない。
【００４３】
本発明が、上述の特定の用途における使用に限定されないことは当業者には理解されよう。本発明は、本明細書に記載された特定の要素および／または特徴に関するその好ましい実施形態に制限されるものではない。本発明は、ここに開示した実施形態に限定されず、特許請求の範囲の請求項によって特定される発明の精神を逸脱することなく、多種の再構成、改変、および代替的形態を含めて実施可能であることは理解されよう。
【図１】
2017528626.tif 000003
【図２】
2017528626.tif 000004
【図３】
2017528626.tif 000005
【図４】
2017528626.tif 000006
【図５】
2017528626.tif 000007
【図６】
2017528626.tif 000008
【図７】
2017528626.tif 000009
【国際調査報告】
2017528626.tif 000010
2017528626.tif 000011
2017528626.tif 000012
2017528626.tif 000013
2017528626.tif 000014